(57)【要約】【課題】液滴吐出ヘッドでは、液滴の微細化がさらに進むと、空気抵抗などにより液滴を目標位置に正確に飛ばすことが難しくなり、液滴の直進飛行安定性を十分に確保することが困難となるという課題がある。【解決手段】圧力室に接続され、液滴を吐出する貫通部が形成されるノズルプレート１０と、ノズルプレート１０の貫通部の内側に位置する、プレスなどの工程で製造された液滴誘導部１３を備える液滴吐出ヘッドを、液滴吐出装置に搭載する。液滴吐出ノズルプレート１０内に液滴誘導部１３が設けられているため、液滴は液滴誘導部１３に導かれるように流れる。そのため液滴の直進飛行安定性を確保することが可能とする液滴吐出ヘッド、液滴吐出ヘッドの製造方法、および液滴吐出装置を提供することができる。【選択図】図３
2008094043.tif 000002
【特許請求の範囲】
【請求項１】
圧力室に接続され、液滴を吐出する貫通部が形成されるノズルプレートと、
前記貫通部の内周に先端が位置する液滴誘導部と、
を備え、前記液滴誘導部の前記先端が前記貫通部の内壁に接しないことを特徴とする液滴吐出ヘッド。
【請求項２】
前記貫通部は液滴の吐出方向に向かって細くなるテーパー形状部と、前記テーパー形状部の細い部分と接続された柱形状部とを備えることを特徴とする請求項１に記載の液滴吐出ヘッド。
【請求項３】
前記貫通部を構成する前記テーパー形状部は、液滴の吐出方向に向かって細くなる擂鉢形状部を有し、また前記貫通部を構成する前記柱形状部は、前記擂鉢形状部の細い部分と接続された円柱形の形状を有し、かつ前記擂鉢形状部と前記柱形状部とは軸を揃えて、または軸をずらせて配置されることを特徴とする請求項２に記載の液滴吐出ヘッド。
【請求項４】
前記貫通部は、前記ノズルプレートの前記圧力室側の面に第１の断面形状を有する第１柱形状部を配置し、前記ノズルプレートの出射面側に前記第１の断面形状の内側に収まる第２の断面形状を有する第２柱形状部を配置することを特徴とする請求項１に記載の液滴吐出ヘッド。
【請求項５】
前記第１柱形状部は第１の半径を有する円柱状の形状であり、前記第２柱形状部は前記第１柱形状部の半径よりも小さい第２の半径を有する円柱状の形状であり、前記第１の形状と前記第２の形状が軸を揃えて、または軸をずらせて配置されていることを特徴とする請求項４に記載の液滴吐出ヘッド。
【請求項６】
前記液滴誘導部は軸対称パターンを備えていることを特徴とする請求項１乃至５のいずれか一項に記載の液滴吐出ヘッド。
【請求項７】
前記液滴誘導部の先端が、前記ノズルプレートの厚みの範囲内に配置されていることを特徴とする請求項１乃至６のいずれか一項に記載の液滴吐出ヘッド。
【請求項８】
前記液滴誘導部は前記ノズルプレートの厚みの範囲内に挿入されており、かつ前記液滴誘導部は軸対称パターンとして液滴の吐出方向に向かって細くなる尖鋭形状、液滴の吐出方向に向かって細くなる擂鉢形状、円柱形状、または膨部を有する形状を含むことを特徴とする請求項１乃至７のいずれか一項に記載の液滴吐出ヘッド。
【請求項９】
前記液滴誘導部が前記ノズルプレートの前記圧力室側に固定されるよう、前記液滴誘導部を支える第１脚部を有し、前記液滴誘導部が前記第１脚部を介して前記ノズルプレートと固定されていることを特徴とする請求項１乃至８のいずれか一項に記載の液滴吐出ヘッド。
【請求項１０】
前記液滴誘導部は前記圧力室側に延長される形状を有する第２脚部を介し、前記ノズルプレートと対向する向きに位置する前記圧力室壁面に固定されていることを特徴とする請求項１乃至８のいずれか一項に記載の液滴吐出ヘッド。
【請求項１１】
前記液滴誘導部を支える前記第２脚部は前記圧力室側に延長される形状を有し、前記圧力室内で屈曲または分岐し、前記圧力室の側壁に固定されていることを特徴とする請求項１乃至８のいずれか一項に記載の液滴吐出ヘッド。
【請求項１２】
請求項１乃至１１のいずれか一項に記載の液体吐出ヘッドを形成するための液滴吐出ヘッドの製造方法であって、
前記第１脚部を有する前記液滴誘導部を形成する工程と、
前記第１脚部を前記ノズルプレートの液滴供給側の面に固定する工程と、
を含むことを特徴とする液滴吐出ヘッドの製造方法。
【請求項１３】
請求項１乃至１１のいずれか一項に記載の液体吐出ヘッドを形成するための液滴吐出ヘッドの製造方法であって、
前記液滴誘導部と前記第２脚部を形成する工程と、
前記液滴誘導部を前記第２脚部を介して前記ノズルプレートと対向する向きに位置する前記圧力室壁面に固定する工程と、
を含むことを特徴とする液滴吐出ヘッドの製造方法。
【請求項１４】
請求項１乃至１１のいずれか一項に記載の液体吐出ヘッドを形成するための液滴吐出ヘッドの製造方法であって、
前記第１脚部または前記第２脚部を有する前記液滴誘導部を製造する工程にドライエッチング法、光造形法またはイオンビーム成型法を用いることを特徴とする請求項１２または１３に記載の液滴吐出ヘッドの製造方法。
【請求項１５】
請求項１乃至１１のいずれか一項に記載の液滴吐出ヘッドを備えることを特徴とする液滴吐出装置。
【発明の詳細な説明】
【技術分野】
【０００１】
本発明は、液滴吐出ヘッド、液滴吐出ヘッドの製造方法、および液滴吐出装置に関する。
【背景技術】
【０００２】
吐出量の制御性や、描画位置の制御性に優れたインクジェットプリンタなどの液滴吐出技術を利用して、金属配線などの微細なパターンを描画する製造方法と、その利用例とが提案されている。
【０００３】
例えば特許文献１に開示されているように、液滴吐出ヘッドの構造については、液滴吐出ヘッドの液滴の吐出側に円錐形状を有するように吐出部を形成して、液滴の直進飛行安定性を向上させて、各吐出部から吐出される液滴の吐出量のばらつきを少なくする方法が提案されている。
【０００４】
【特許文献１】特開平５−１９３１４４号公報
【発明の開示】
【発明が解決しようとする課題】
【０００５】
しかしながら、特許文献１に示す液滴吐出ヘッドでは、液滴の微細化がさらに進むと、空気抵抗などにより液滴を目標位置に正確に飛ばすことが難しくなり、液滴の直進飛行安定性を十分に確保することが困難となる課題がある。
【０００６】
そこで、本発明はこのような課題を解決し、液滴の吐出方向を安定させる液滴吐出ヘッド、および当該液滴吐出ヘッドを作成するための液滴吐出ヘッドの製造方法、および当該液滴吐出ヘッドを有する液滴吐出装置を提供することを目的としている。
【課題を解決するための手段】
【０００７】
本出願において、軸対称パターンとは、軸を中心としてパターンを回転させた場合、０°超３６０°未満の回転角度範囲において、１つ以上の角度で実質的に回転前のパターンと重なるパターンを有するものと定義する。なお円柱の場合には、無数の角度で重なると解釈する。また、ここで実質的とは、吐出される液体の吐出方向、吐出量、吐出速度が設定誤差以内に入る場合と定義する。
【０００８】
また、尖鋭形状とは、先が尖った形状と定義する。また、擂鉢形状とは円錐形状の尖鋭形状部を除去した形状と定義する。
【０００９】
本発明に係る液滴吐出ヘッドは、圧力室に接続され、液滴を吐出する貫通部が形成されるノズルプレートと、前記貫通部の内周に先端が位置する液滴誘導部と、を備え、前記液滴誘導部の前記先端が前記貫通部の内壁に接しないことを特徴とする。
【００１０】
この構成によれば、液滴の吐出安定性を向上させることができる。
【００１１】
また、本発明に係る液滴吐出ヘッドでは、前記貫通部は、液滴の吐出方向に向かって細くなるテーパー形状部と、前記テーパー形状部の細い部分と接続された柱形状部とを備えることが好ましい。
【００１２】
この構成によれば、液滴誘導部に加えテーパー形状部、柱形状部により射出方向に対し、より強い方向性を液滴に与えることが可能となる。そのため液滴の直進飛行安定性をさらに向上させることが可能となる。
【００１３】
また、本発明に係る液滴吐出ヘッドでは、前記貫通部を構成する前記テーパー形状部は、液滴の吐出方向に向かって細くなる擂鉢形状部を有し、また前記貫通部を構成する前記柱形状部は、前記擂鉢形状部の細い部分と接続された円柱形の形状を有し、かつ前記擂鉢形状部と前記柱形状部とは軸を揃えて、または軸をずらせて配置されていることが望ましい。
【００１４】
この構成によれば、対称性が高いパターンを貫通部に用いているため、軸を揃えた場合に、この軸方向に射出される液滴に強い方向性を与えることができる。そのため着弾位置の制御性を向上させることができる。また、軸をずらせた場合でも、吐出方向の再現性は高いため、着弾位置のぶれを抑えることができる。
【００１５】
また、本発明に係る液滴吐出ヘッドは、前記貫通部は、前記ノズルプレートの前記圧力室側の面に第１の断面形状を有する第１柱形状部を配置し、前記ノズルプレートの出射面側に前記第１の断面形状の内側に収まる第２の断面形状を有する第２柱形状部を配置することが望ましい。
【００１６】
この構成によれば、柱状形状の組合せで構成される液滴吐出ヘッドにおいて、第１柱形状部と第２柱形状部との容積差、或いは接続部の段差に起因して生じる気泡の発生、溜まりなどに対し、第１柱形状部の中に断面積を調整するための液滴誘導部を設けることで容積差を小さくすることができ、吐出性能を向上させることができる。
【００１７】
また、本発明に係る液滴吐出ヘッドは、前記第１柱形状部は第１の半径を有する円柱状の形状であり、前記第２柱形状部は前記第１柱形状部の半径よりも小さい第２の半径を有する円柱状の形状であり、前記第１の形状と前記第２の形状が軸を揃えて、または軸をずらせて配置されていることが望ましい。
【００１８】
この構成によれば、高い対称性を有する形状で液滴吐出ヘッドを構成するため、吐出される液滴の直進性を向上させることができる。また、軸をずらせた場合でも、吐出方向の再現性は高いため、着弾位置のぶれを抑えることができる。  
【００１９】
また、本発明に係る液滴吐出ヘッドでは、前記液滴誘導部は、軸対称パターンを備えていることが望ましい。
【００２０】
この構成によれば、液滴誘導部は、軸対称パターンを備えているため、液滴も軸に対して対称性を持って吐出されるため、着弾位置を高い精度で制御することが可能となる。
【００２１】
また、本発明に係る液滴吐出ヘッドは、前記液滴誘導部の先端が、前記ノズルプレートの厚みの範囲内に配置されていることが望ましい。
【００２２】
この構成によれば、液滴の吐出方向のぶれを抑えたり、或いは、貫通部内の容積の変化を調整したりすることができ、吐出安定性を向上させることができる。
【００２３】
また、本発明に係る液滴吐出ヘッドでは、前記液滴誘導部は、前記ノズルプレートの厚みの範囲内に挿入されており、かつ前記液滴誘導部は軸対称パターンとして液滴の吐出方向に向かって細くなる尖鋭形状、液滴の吐出方向に向かって細くなる擂鉢形状、円柱形状、または膨部を有する形状を含むことが望ましい。
【００２４】
この構成によれば、液滴吐出を行う場合に、上記した形状に液滴誘導部を形成することで液滴が液滴誘導部の先端で千切れやすくなる。液滴誘導部の先端で千切れるため、液滴誘導部の形状の影響は吐出を行う場合には緩和することができる。
【００２５】
また、本発明に係る液滴吐出ヘッドは、前記液滴誘導部が前記ノズルプレートの前記圧力室側に固定されるよう、前記液滴誘導部を支える第１脚部を有し、前記液滴誘導部が前記第１脚部を介して前記ノズルプレートと固定されていることが望ましい。
【００２６】
この構成によれば、液滴誘導部を第１脚部を介してノズルプレートに固定するため、第１脚部の長さを、貫通部の外周と液滴誘導部を結ぶ長さに抑えることができる。そのため、液滴誘導部に液滴吐出を行う場合および液滴誘導部の製造を行う場合に力が印加される際に、てこの原理に従って第１脚部に受ける応力を第１脚部を短くすることで小さく抑えることができ、信頼性に優れた液滴吐出ヘッドを提供することができる。
【００２７】
また、本発明に係る液滴吐出ヘッドでは、前記液滴誘導部は、前記圧力室側に延長される形状を有する第２脚部を介し、前記ノズルプレートと対向する向きに位置する前記圧力室壁面に固定されていることが望ましい。
【００２８】
この構成によれば、液滴誘導部は第２脚部を介して圧力室側に固定される。そのため、ノズルプレートと液滴誘導部との位置関係を保つための機構を、液滴の吐出に関わる部分と離れた位置に設置することが可能となり、液滴の吐出を行う領域での乱流の発生を抑制しうる構造を提供することができる。
【００２９】
また、本発明に係る液滴吐出ヘッドは、前記液滴誘導部を支える前記第２脚部は前記圧力室側に延長される形状を有し、前記圧力室内で屈曲または分岐し、前記圧力室の側壁に固定されていることが望ましい。
【００３０】
この構成によれば、上記したものと同様、液滴誘導部は第２脚部を介して圧力室側に固定される。そのため、ノズルプレートと液滴誘導部との位置関係を保つための機構を、液滴の吐出に関わる部分と離れた位置に設置することが可能となり、液滴の吐出を行う領域での乱流の発生を抑制しうる構造を提供することができる。
【００３１】
また、本発明に係る液滴吐出ヘッドの製造方法は、液体吐出ヘッドを形成するための液滴吐出ヘッドの製造方法であって、前記第１脚部を有する前記液滴誘導部を形成する工程と、前記第１脚部を前記ノズルプレートの液滴供給側の面に固定する工程と、を含むことを特徴とする。
【００３２】
この製造方法によれば、液滴誘導部を第１脚部を介してノズルプレートに固定するため、液滴誘導部とノズルプレートの一方の位置を固定し、他方の位置を調整して固定することができる。そのため互いの位置合わせを容易に行うことができる。
【００３３】
また、本発明に係る液滴吐出ヘッドの製造方法は、液体吐出ヘッドを形成するための液滴吐出ヘッドの製造方法であって、前記液滴誘導部と前記第２脚部を形成する工程と、前記液滴誘導部を前記第２脚部を介して前記ノズルプレートと対向する向きに位置する前記圧力室壁面を含むことを特徴とする。
【００３４】
この製造方法によれば、液滴誘導部は第２脚部を介して圧力室側に固定されるため、ノズルプレートと液滴誘導部との位置関係を保つための機構は、液滴の吐出に関わる部分と離れる。第２脚部をノズルプレートと離れた位置で固定する工程を用いることで乱流の発生が抑制される構造を実現する製造方法を提供することができる。
【００３５】
また、本発明に係る液滴吐出ヘッドの製造方法は、液体吐出ヘッドを形成するための液滴吐出ヘッドの製造方法であって、前記第１脚部または前記第２脚部を有する前記液滴誘導部を製造する工程にドライエッチング法、光造形法またはイオンビーム成型法を用いることが望ましい。
【００３６】
この製造方法によれば、液滴吐出ヘッドの製造方法として第１脚部または第２脚部を有する液滴誘導部を製造する工程にドライエッチング法を用いる場合には、多数の液滴誘導部を同時に形成することができるため、短い時間で多量の液滴誘導部の製造工程を提供することができる。また、光造形法を用いる場合には、他の方法では製造困難な複雑な形状を有する液滴誘導部を実現することができ、より液滴の制御性に優れた液滴誘導部の製造工程を提供することができる。また、イオンビーム成型法を用いる場合にはドライエッチングや光造形を用いることが困難な材質を用いて液滴誘導部を形成することができ、多彩な材質が用いられた液滴誘導部を形成する製造工程を提供することができる。
【００３７】
また、本発明に係る液滴吐出装置は、前述に記載の液滴吐出ヘッドを備えることを特徴とする。
【００３８】
この構成によれば、前述に記載の着弾精度の高い液滴吐出ヘッドを備えているため、高精細な描画が実現可能な液滴吐出装置を提供できる。
【発明を実施するための最良の形態】
【００３９】
（第１の実施形態）
以下、第１の実施形態として、テーパー形状部として擂鉢状の形状の開口径が小さい側に円柱状の形状を有するノズルプレートを用いる場合の概略配置、およびノズルプレートの形成方法を図面を用いて説明する。図１（Ａ）は擂鉢形状（円錐形状の尖鋭形状部を除去した形状）を有する擂鉢形状部と、擂鉢形状部の細い部分と接続された円柱部からなり、軸対称パターンを有するノズルプレートの平面図、図１（Ｂ）は図１（Ａ）のＡ−Ａ線断面図である。図２（Ａ）は軸対称パターンを有する液滴誘導部の平面図、図２（Ｂ）は図２（Ａ）のＡ−Ａ線断面図である。図３（Ａ）は、ノズルプレートと液滴誘導部を重ね合わせて形成された液滴吐出ヘッドの吐出部の平面図、図３（Ｂ）は図３（Ａ）のＡ−Ａ線断面図である。
【００４０】
図１（Ａ）に示すように、ノズルプレート１０には貫通部としての擂鉢形状部１１と円柱部１２が形成されている。図１（Ｂ）にＡ−Ａ線断面図を用いて擂鉢形状部１１と円柱部１２の位置関係を示す。液滴は擂鉢形状部１１側から供給され、円柱部１２を通して吐出される。そして、図２（Ａ）、図２（Ｂ）に示す円錐形状を有する液滴誘導部１３は、液滴誘導部１３を支える第１脚部１４により、図１（Ｂ）に図示されているノズルプレート１０の擂鉢形状部１１および円柱部１２と同軸となるよう固定される。ここで、擂鉢形状部１１に代えて、例えばラッパ形状など曲率が異なる形状を有する部材を用いても良い。また、第１脚部１４に付随している円形の構成部材は省略可能である。また、この構成部材の形状については後述する第４の変形例で記述されている形状を用いることができる。図３（Ａ）、図３（Ｂ）には、ノズルプレート１０の擂鉢形状部１１および円柱部１２と同軸に液滴誘導部１３を配置することで形成された液滴吐出ヘッドを構成する吐出部１５が図示されている。液滴誘導部１３は擂鉢形状部１１と円柱部１２との境近傍に頂点を有するよう、かつ、液滴誘導部１３の先端が擂鉢形状部１１の内壁および円柱部１２の内壁のいずれにも接触しないよう配置され、液滴を擂鉢形状部１１および円柱部１２の軸上に誘導する。なお、液滴誘導部１３の頂点は擂鉢形状部１１および円柱部１２の内部に配置することができる。ここで、液滴誘導部１３の軸と、擂鉢形状部１１および円柱部１２の軸とは同軸となるよう固定される。ここで、同軸以外の配置を用いても差し支えなく、液滴の吐出が制御できる状態であれば適用可能である。
【００４１】
次に、図１（Ａ）、図１（Ｂ）に示す擂鉢形状部１１と円柱部１２の製造方法について説明する。ノズルプレート素材１０ａとしては、例えばステンレスを用いることができる。図４は、擂鉢形状部１１と、円柱部１２を有するノズルプレートの製造工程を説明するための断面図である。図４に示すように、擂鉢形状と円柱形状を組合せた形状を有するポンチ２１と、ダイ２２と、ダイ２２に設けられている孔２３により構成されている。孔２３はポンチ２１を用いた場合に生じる抜きカス２４が通過できるようポンチ２１の円柱部分よりも若干大きめな孔径を有している。
【００４２】
まず、ノズルプレート素材１０ａをダイ２２に設置する。次に、ポンチ２１を押し当て、ポンチ２１の円柱形状部分をノズルプレート素材１０ａ中に貫通させる。貫通を行う際に発生した抜きカス２４は孔２３を抜けていく。この工程で円柱部１２が形成される。同時に、ポンチ２１の擂鉢形状に押されることで擂鉢形状部１１が形成され、ノズルプレート素材１０ａを用いたノズルプレート１０（図１参照）が形成される。
液滴誘導部１３の先端が擂鉢形状部１１に位置することで、液滴吐出を行う場合に、液滴が液滴誘導部１３の先端で千切れて吐出される。先端で千切れるため、液滴誘導部１３の形状の影響は吐出を行う場合には緩和され、液滴は液滴誘導部１３によって吐出すべき位置に配置されるため、高い直進性を持って吐出される。そのため、液滴の吐出方向のぶれを抑えることができる。
【００４３】
（第２の実施形態）
以下、第２の実施形態として、２つの半径を持つ円柱部をノズルプレートに用いる例について図面を用いて説明する。図５（Ａ）は第１円柱部と、第１円柱部と比べ半径が小さい第２円柱部とを組合せてなり、軸対称パターンを有するノズルプレートの平面図、図５（Ｂ）は図５（Ａ）のＡ−Ａ線断面図である。図６（Ａ）は軸対称パターンを有する液滴誘導部の平面図、図６（Ｂ）は図６（Ａ）のＡ−Ａ線断面図である。図７（Ａ）は、ノズルプレートと液滴誘導部を重ね合わせて形成された液滴吐出ヘッドを構成する吐出部の平面図、図７（Ｂ）は図７（Ａ）のＡ−Ａ線断面図である。
【００４４】
図５（Ａ）、図５（Ｂ）に図示されるように、ノズルプレート３０には貫通部としての第１円柱部３１と第２円柱部３２が形成されている。液滴は第１円柱部３１側から供給され、第２円柱部３２を通して吐出される。
【００４５】
そして、図６（Ａ）、図６（Ｂ）に図示されるように、軸対称パターンとして円柱形状を有する液滴誘導部３３は、液滴誘導部３３を支える第１脚部３４により、図５（Ａ）、（Ｂ）に図示されるノズルプレート３０の第１円柱部３１および第２円柱部３２と同軸となるよう固定される。ここで、第１脚部３４に付随している円形の構成部材は省略可能である。また、この構成部材の形状については後述する第４の変形例で記述されている形状を用いることができる。
【００４６】
図７（Ａ）、図７（Ｂ）に図示されるように、ノズルプレート３０の第１円柱部３１の内側に液滴誘導部３３をノズルプレート３０を貫通するよう配置することで液滴吐出ヘッドを構成する吐出部３５が形成される。液滴吐出ヘッドを構成する吐出部３５の液滴誘導部３３は第１円柱部３１と第２円柱部３２との境近傍に先端が来るよう、かつ、液滴誘導部１３の先端が第１円柱部３１の内壁および第２円柱部３２の内壁のいずれにも接触しないよう配置され、液滴を第１円柱部３１および第２円柱部３２の軸上に誘導する。なお、液滴誘導部３３の頂点は第１円柱部３１と第２円柱部３２との内部に配置することができる。ここで、液滴誘導部３３の軸と、第１円柱部３１および第２円柱部３２の軸とが同軸となるよう形成することでより対称性の高い構造を得ることができる。ここで、同軸以外の配置を用いても差し支えなく、液滴の吐出が制御できる状態であれば適用可能である。
【００４７】
次に、図５（Ａ）、（Ｂ）に示す第１円柱部３１および第２円柱部３２の製造方法について説明する。ノズルプレート素材３０ａとしては、例えばシリコン基板を用いることができる。図８（Ａ）、（Ｂ）は、第１円柱部３１および第２円柱部３２の製造方法を示すための工程断面図である。
【００４８】
まず、図８（Ａ）に示すようにノズルプレート素材３０ａにパターンが形成されたフォトレジスト層３６を形成し、第２円柱部３２に対応する領域のエッチングを行う。
次に、図８（Ｂ）に示すようにフォトレジスト層３６を除去し、改めてフォトレジスト層３７を形成し、第１円柱部３１に対応する領域のエッチングを行うことで形成できる。ここで、第１円柱部３１と第２円柱部３２の形成順序はこの順序に従う必要はなく、第１円柱部３１から形成しても良い。また、第１円柱部３１を形成する面と反対側の面から第２円柱部３２を形成しても良い。
【００４９】
また、第１の実施形態で説明した技術を用いて、ポンチを用いて打ち抜き成型により形成しても良い。この場合、ノズルプレートを構成する材質としてはステンレスなど展延性を有する材質を用いることが望ましい。
第１円柱部３１と第２円柱部３２との容積差、或いは接続部の段差に起因して気泡の発生、溜まりなどが生じる恐れがあり、吐出安定性に問題がある。液滴誘導部３３の先端が第１円柱部３１に位置することで容積差を小さくすることができ、メニスカス位置の変化を滑らかに制御することができるため、吐出性能及び連続吐出性能を向上させることができる。また、第１円柱部３１内に膨部を設けた構造を用いる場合、第１円柱部３１と第２円柱部３２との容積差を抑制するとともに、液滴の吐出方向に向かってテーパー状の形状を有するため、吐出方向をより安定化することができる。
【００５０】
（第３の実施形態）
以下、第３の実施形態について説明する。本実施形態では、液滴吐出ヘッドの特徴的な製造方法を説明する前に、液滴吐出方法で配線パターンを形成するときに用いられる配線材料、液滴吐出方法、配線材料の硬化処理方法、について順次説明する。
【００５１】
＜配線材料＞
液滴吐出方法で配線パターンを形成するときの配線材料は、導電性微粒子を分散媒に分散させた分散液が用いられる。本実施形態では、導電性微粒子として、例えば、金、銀、銅、鉄、クロム、マンガン、モリブデン、チタン、パラジウム、タングステンおよびニッケルのうちのいずれかを含有する金属微粒子の他、これらの酸化物、並びに導電性ポリマーや超電導体の微粒子などが用いられる。これらの導電性微粒子は、分散性を向上させるために表面に有機物などをコーティングして使うこともできる。導電性微粒子の粒径は１ｎｍ以上０．１μｍ以下であることが好ましい。０．１μｍ以下とすることで液滴吐出ヘッドの吐出部の目詰まり発生を防ぐことができる。また、１ｎｍ以上とすることで、導電性微粒子に対するコーティング剤の体積比を適切な範囲に抑えられるので、得られる膜中の有機物の割合を適切な範囲で抑えることができる。
【００５２】
分散媒としては、上記の導電性微粒子を分散できるもので、凝集を抑えられるものであれば特に限定されない。例えば、水の他に、炭化水素化合物として、メタノール、エタノール、プロパノール、ブタノールなどのアルコール類、ｎ−ヘプタン、ｎ−オクタン、デカン、ドデカン、テトラデカン、トルエン、キシレン、シメン、デュレン、インデン、ジペンテン、テトラヒドロナフタレン、デカヒドロナフタレン、シクロヘキシルベンゼンなどが使用可能である。
【００５３】
また、エーテル系化合物として、エチレングリコールジメチルエーテル、エチレングリコールジエチルエーテル、エチレングリコールメチルエチルエーテル、ジエチレングリコールジメチルエーテル、ジエチレングリコールジエチルエーテル、ジエチレングリコールメチルエチルエーテル、１，２−ジメトキシエタン、ビス（２−メトキシエチル）エーテル、ｐ−ジオキサンなどが使用可能である。
【００５４】
また、極性化合物としてプロピレンカーボネート、γ−ブチロラクトン、Ｎ−メチル−２−ピロリドン、ジメチルホルムアミド、ジメチルスルホキシド、シクロヘキサノンなどが使用可能である。
【００５５】
これらのうち、微粒子の分散性と分散液の安定性、また液滴吐出法への適用の容易さの点で、水、アルコール類、炭化水素系化合物、エーテル系化合物が好ましく、より好ましい分散媒としては、水、炭化水素系化合物を挙げることができる。
【００５６】
上記導電性微粒子の分散液の表面張力は、０．０２Ｎ／ｍ〜０．０７Ｎ／ｍの範囲内であることが好ましい。液滴吐出法にて液滴Ｌを吐出する際、表面張力が０．０２Ｎ／ｍ以上に保つことで、機能液組成物の吐出部面に対する濡れ性を抑えることができるために飛行曲りが抑えられる。また、０．０７Ｎ／ｍ以下に保つことで吐出部先端でのメニスカスの形状を安定させることができ吐出量や、吐出タイミングの制御を精密に行うことができる。
【００５７】
また、表面張力を調整するため、上記分散液には、基板との接触角を大きく低下させない範囲で、フッ素系、シリコーン系、ノニオン系などの表面張力調節剤を微量添加してもよい。ノニオン系表面張力調節剤は、液体の基板への濡れ性を向上させ、膜のレベリング性を改良し、膜の微細な凹凸の発生などの防止に役立つものである。上記表面張力調節剤は、必要に応じて、アルコール、エーテル、エステル、ケトン等の有機化合物を含んでもよい。
【００５８】
上記分散液の粘度は、１ｍＰａ・ｓ〜５０ｍＰａ・ｓの範囲内であることが好ましい。液滴吐出法を用いて液体材料を液滴Ｌとして吐出する際、粘度が１ｍＰａ・ｓ以上に保つことで吐出部周辺部への機能液の流出を抑えられ、汚染を防止することができる。また粘度を５０ｍＰａ・ｓ以下にすることで、吐出部の目詰まりを抑えて円滑な吐出が可能となる。
【００５９】
＜液滴吐出方法＞
液滴吐出方法の吐出技術としては、オンデマンドで微細なパターンが形成可能なインクジェット法を用いることが好ましい。インクジェット法としては、電気機械変換方式、静電駆動方式等が挙げられる。電気機械変換方式は、ピエゾ素子（圧電素子）がパルス的な電気信号を受けて変形する性質を利用したもので、ピエゾ素子が変形することによって材料を貯留した空間に可撓物質を介して圧力を与え、この空間から材料を押し出して吐出部から吐出させるものである。また、静電駆動方式は、静電気の吸引反発力を用いて材料を貯留した空間に可撓物質を介して圧力を与え、この空間から材料を押し出して吐出部から吐出させるものである。なお、この他、液滴吐出方式としては、ヒーターを用いるサーマル方式を用いることができる。
【００６０】
液滴吐出方法は、材料の使用に無駄が少なく、しかも所望の位置に所望の量の材料を的確に配置できるという利点を有する。なお、液滴吐出方法により吐出される液体材料の一滴の量は例えば１〜３００ナノグラムである。
【００６１】
＜配線材料の硬化処理方法＞
配線材料の硬化処理方法は、焼成処理とも呼ばれ、通常大気中で行なわれるが、必要に応じて、窒素、アルゴン、ヘリウムなどの不活性ガス雰囲気中、または水素などの還元雰囲気中で行うこともできる。焼成処理の処理温度は、分散媒の沸点（蒸気圧）、雰囲気ガスの種類や圧力、微粒子の分散性や酸化性等の熱的挙動、コーティング材の有無や量、基材の耐熱温度などを考慮して適宜決定される。本実施形態では、配線材料に対して、大気中クリーンオーブンにて２００℃で約６０分間の焼成処理を行った。以上により配線層（図示省略）を形成することができ、微粒子間の電気的接触が確保される。
【００６２】
このような焼成処理は、通常のホットプレート、電気炉などによる処理の他、ランプアニールによって行うこともできる。ランプアニールに使用する光の光源としては、特に限定されないが、赤外線ランプ、キセノンランプ、ＹＡＧレーザー、アルゴンレーザー、炭酸ガスレーザー、ＸｅＦ、ＸｅＣｌ、ＸｅＢｒ、ＫｒＦ、ＫｒＣｌ、ＡｒＦ、ＡｒＣｌなどのエキシマレーザーなどを光源として使用することができる。これらの光源は一般には、出力１０Ｗ以上、５０００Ｗ以下の範囲のものが用いられるが、本実施形態では、１００Ｗ以上、１０００Ｗ以下の範囲で十分である。このように液滴吐出方法を用いて配線材料を配置して、この配線材料を硬化することで、所望の配線パターンを形成することができる。
【００６３】
（第４の実施形態）
以下、第４の実施形態として液滴誘導部のドライエッチング法による製造方法について図面を用いて説明する。図９（Ａ）〜図１２（Ａ）は液滴誘導部の製造工程を示す平面図、図９（Ｂ）〜図１２（Ｂ）はそれぞれの平面図に対応するＡ−Ａ線断面図である。
【００６４】
まず、工程１として図９（Ａ）、図９（Ｂ）に示すように、シリコン基板４０上に扇型のパターンが形成されたフォトレジスト層４１を形成し、フォトレジスト層４１をマスクとして異方性エッチングによりシリコン基板４０に扇型の孔を貫通させる。
【００６５】
次に、工程２として図１０（Ａ）、図１０（Ｂ）に示すように、フォトレジスト層４１をエッチングして除去し、新たに円柱形のフォトレジスト層４２を扇型に残されたシリコン基板中央部に形成する。
【００６６】
次に、工程３として図１１（Ａ）、図１１（Ｂ）に示すように、フォトレジスト層４２をマスクとしてシリコン基板４０をエッチングする。ここで、エッチング条件として、シリコン基板４０に対して異方性エッチングを行うと共に、フォトレジスト層４２の側面を徐々に除去する条件でエッチングを行うと、フォトレジスト層４２の下側に位置するシリコン基板４０をテーパー状に加工しながらエッチングすることができる。
【００６７】
この条件でエッチングすることで、尖鋭形状を有する軸対称パターンとして円錐形状を有する液滴誘導部４３と、第１脚部４４とが形成される。ここで、第１脚部４４に付随している円形の構成部材は省略可能であり、例えば工程２で扇型にエッチングする際に同時に取り除くことができる。また、この構成部材の形状については後述する第４の変形例で記述されている形状を用いることができる。なお、テーパー状に加工する際にフォトレジスト層４２が消耗し尽くされず残留している場合には、別途フォトレジスト層４２を除去する。第１の実施形態で用いられる図３（Ａ）、（Ｂ）に記載されている液滴誘導部１３はこの製造方法を用いることで製造することが可能である。
【００６８】
また、シリコン基板４０に代えて酸化シリコンを用い、フォトレジスト層４２に代えてニッケルマスクを用い、エッチングガスとして四フッ化炭素、二フッ化メタンと酸素を混合したガスでドライエッチングを行っても良い。これらの材料やガスを用いることでもテーパー状の形状を得ることができる。
【００６９】
また、工程３でフォトレジスト層４２の側面を保護するよう異方性エッチングを行うことで図１２（Ａ）、図１２（Ｂ）に示される円柱形状を有する液滴誘導部４５と、第１脚部４６が形成される。第２の実施形態で用いられる図７（Ａ）、図７（Ｂ）に示される軸対称パターンをなす円柱形状を有する液滴誘導部３３は、この製造方法を用いることで製造することが可能である。
【００７０】
ここで、第１脚部４６に付随している円形の構成部材は省略可能であり、例えば工程２で扇型にエッチングする際に同時に取り除くことができる。また、この構成部材の形状については後述する第４の変形例で記述されている形状を用いることができる。
【００７１】
そして、図３に示すようにこれらの工程により形成される液滴誘導部１３は第１脚部１４をノズルプレート１０の液滴供給側の面に固定することで液滴吐出ヘッドを構成する吐出部を形成することができる。
【００７２】
同様に図７に示すように、これらの工程により形成される液滴誘導部３３は第１脚部３４をノズルプレート３０の液滴供給側の面に固定することで液滴吐出ヘッドを構成する吐出部を形成することができる。
【００７３】
（第５の実施形態）
以下、第５の実施形態として、液滴誘導部を光造形法またはイオンビーム法による製造方法について図面を用いて説明する。図１３（Ａ）〜図１３（Ｄ）は液滴吐出ヘッドを構成する吐出部に用いられる液滴誘導部が複雑な形状を有する場合に対応させるために、光造形技術を用いて製造する工程を示す工程断面図である。本実施形態では、膨部を有する膨部を有する形形状を有する液滴誘導部５２（図１３（Ｄ）参照）を形成している。
【００７４】
まず、工程１として図１３（Ａ）に示すように基板５０の第１面を覆うように、光硬化樹脂５１ａを塗布する。
【００７５】
次に、工程２として図１３（Ｂ）に示すように光を照射して所望部分を硬化し、光硬化部５１を形成する。
【００７６】
次に、工程３として図１３（Ｃ）に示すように光硬化部５１を残し光硬化樹脂５１ａを除去する。
【００７７】
そして図１３（Ａ）〜図１３（Ｃ）を繰り返し行うことで図１３（Ｄ）に示すように所望の形状（本実施形態では膨部を有する形状）の液滴誘導部５２を得ることができる。光造形法を用いる場合、第１の実施形態で形成した液滴誘導部１３、第２の実施形態で形成した液滴誘導部３３に加え、第２の変形例で述べる形状を全て形成することができる。
【００７８】
ここで、複雑な構造を形成する手段としてイオンビームエッチングを用いても良い。イオンビームの照射位置を相対的に変える位置送り機構を用いることで、複雑な構造を形成することが可能となる。更に、イオンビームを用いて加工する場合には、エッチングする材質に経時変化が少ない金属等を選択することが可能となるため、より信頼性の高い液滴誘導部を形成することができる。
【００７９】
（第６の実施形態）
以下、第６の実施形態として、液滴吐出装置に搭載される液滴吐出ヘッドの構造について図面を用いて説明する。図１４は液滴吐出ヘッドを含む構造の主要部を示す図であり、図１４（Ａ）は、模式斜視図、図１４（Ｂ）は、模式断面図である。
【００８０】
図１４（Ａ）に示すように、ステンレス等で構成されるノズルプレート５９と、これに対向する振動板６１と、これらを互いに接合する仕切り部材６２とを有する。このノズルプレート５９と振動板６１との間には、仕切り部材６２によって複数の圧力室６３と液溜り６４とが形成される。これらの圧力室６３と液溜り６４とは通路６８を介して互いに連通している。
【００８１】
振動板６１には材料供給孔６６が形成されている。この材料供給孔６６には材料供給装置６７が接続される。この材料供給装置６７は、配線材料などで構成される材料Ｎを材料供給孔６６へ供給する。このように供給された材料Ｎは、液溜り６４に充満し、さらに通路６８を通って圧力室６３に充満する。なお、図１４（Ａ）では、貫通部７０は円筒状に簡略化して示している。貫通部７０近傍の詳細な構造については図１４（Ｂ）に記載している。
【００８２】
図１４（Ｂ）に示すように、ノズルプレート５９には、圧力室６３から材料Ｎをジェット状に噴出するための貫通部７０と、材料Ｎの流れを制御する液滴誘導部７４が第１脚部７５により支えられるように設けられている。
【００８３】
ここで、液滴誘導部７４の固定を第１脚部７５に代えて、図１５（Ｃ）に示すように第２脚部７６を用いて振動板６１に固定することができる。図１５（Ｃ）は、液滴吐出ヘッドの別の構成を示す断面図である。この固定方法を用いることで、第１脚部７５を用いて固定する場合と比べ、液滴の流れの乱れを抑えて液滴を誘導することが可能となる。
【００８４】
また、ノズルプレート５９と対向する位置にある振動板６１の位置を変更して、第２脚部７６をノズルプレート５９と対向する位置にある壁面に固定することができる。この場合には、振動板６１に液滴誘導部７４および第２脚部７６が備えられることによる質量の付加が防がれるため、液滴吐出動作に影響を及ぼすことなく液滴誘導部７４を支えることができる。
【００８５】
また、図１５（Ｄ）に示すように、液滴誘導部７４の固定に用いる第２脚部７６を、圧力室６３中で分岐させて圧力室６３の側壁に位置する仕切り部材６２に固定することができる。図１５（Ｄ）は、液滴吐出ヘッドの別の構成を示す断面図である。この固定方法を用いることで、振動板６１の配置位置の変更や、脚部の形成に伴う液滴の流れの乱れを抑えて圧力室６３の側壁のみで液滴を誘導することが可能となる。この場合、圧力室６３の側壁に振動板６１を配置し、振動板６１も用いて第２脚部７６を支持することができる。本実施形態では、第１脚部７５により液滴誘導部７４を支える場合について説明するが、第２脚部７６を用いた場合でも同様の扱いが可能である。
【００８６】
振動板６１の圧力室６３に臨む面の裏面には、この圧力室６３に対応させて材料加圧体６９が取り付けられている。この材料加圧体６９は、圧電素子７１並びにこれを挟持する一対の電極７２ａおよび７２ｂを有する。圧電素子７１は、電極７２ａおよび７２ｂへの通電によって矢印Ｃで示す外側へ突出するように撓み変形し、これにより圧力室６３の容積が増大する。すると、増大した容積分に相当する材料Ｎが液溜り６４から通路６８を通って圧力室６３へ流入する。
【００８７】
その後、圧電素子７１への通電を解除すると、この圧電素子７１と振動板６１とは共に元の形状に戻り、これにより、圧力室６３も元の容積に戻るため、圧力室６３の内部にある材料Ｎの圧力が上昇し、貫通部７０から材料Ｎが液滴Ｌとなって噴出する。
【００８８】
ここで、材料加圧体６９は圧電素子に代えて静電力を用いる構成を用いても良い。なお、貫通部７０の周辺部には、液滴Ｌの飛行曲りや、貫通部７０の孔詰まりなどを防止するために、例えば、Ｎｉ−テトラフルオロエチレン共析メッキ層などを用いた撥材料層７３が設けられる。
【００８９】
次に、本実施形態の液滴吐出ヘッドの製造方法について図１４（Ａ）と図１４（Ｂ）を用いて簡単に説明する。まず、ノズルプレート５９の貫通部７０に第１脚部７５を介して液滴誘導部７４を固定する。次に、仕切り部材６２と振動板６１とを固定し一体化することで液滴吐出ヘッド８０を形成する。
【００９０】
本実施形態では、貫通部７０に擂鉢形状と円柱形状とを組合せた形状を用いているが、これは第２の実施形態で説明したように貫通部７０の形状として２つの円柱形を組合せた形状のものを用いても良い。また、後述する第１の変形例に記載されている形状のものを用いても良い。また、液滴誘導部７４の形状も円錐形状や円柱形状に限定されるものでは無く、後述する第２の変形例に記載されている形状のものを用いることができる。
【００９１】
（第７の実施形態）
次に、第７の実施形態として液滴吐出装置の構成について説明する。図１６は、液滴吐出装置１００の斜視図である。図１６において、Ｘ方向はベース１０１の左右方向であり、Ｙ方向は前後方向であり、Ｚ方向は上下方向である。液滴吐出装置１００は、液滴吐出ヘッド８０と、基板Ｐとを載置するテーブル１０３とを主として構成されている。なお、液滴吐出装置１００の動作は、制御装置１１０により制御されるように構成されている。
【００９２】
基板Ｐを載置するテーブル１０３は、第１移動手段１０２によりＹ方向に移動および位置決め可能とされ、モータ１０４によりθｚ方向に揺動および位置決め可能とされている。一方、液滴吐出ヘッド８０は、第２移動手段によりＸ方向に移動および位置決め可能とされ、リニアモータ１０８によりＺ方向に移動および位置決め可能とされている。また液滴吐出ヘッド８０は、モータ１０５、１０６、１０７により、それぞれα，β，γ方向に揺動および位置決め可能とされている。これにより、液滴吐出装置１００は、液滴吐出ヘッド８０の吐出面８１と、テーブル１０３上の基板Ｐとの相対的な位置および姿勢を、正確にコントロールすることができるように構成されている。
【００９３】
なお、図１６に示すキャッピングユニット５６は、液滴吐出ヘッド８０における吐出面８１の乾燥を防止するため、液滴吐出装置１００の待機時に吐出面８１をキャッピングするものである。またクリーニングユニット５８は、液滴吐出ヘッド８０における吐出部の目詰まりを取り除くため、吐出部の内部を吸引するものである。なおクリーニングユニット５８は、液滴吐出ヘッド８０における吐出面８１の汚れを取り除くため、吐出面８１のワイピングを行うことも可能である。
【００９４】
本発明の液滴吐出装置１００は、液滴Ｌの着弾位置精度を向上させることが可能な液滴吐出ヘッド８０を搭載しているので、高精度な描画を可能とする液滴吐出装置１００を提供できる。例えば液滴Ｌをインクとして使用するインクジェットプリンタなどの印刷装置などでは、印刷品質の向上可能な印刷装置を提供できる。
【００９５】
（第１の変形例）
第１の実施形態では、貫通部の一部として図１（Ａ）、図１（Ｂ）に記載した擂鉢形状部１１と円柱部１２から成る形状の例について説明している。また、第２の実施形態では、貫通部の一部として図５（Ａ）、図５（Ｂ）に記載の第１円柱部３１と第２円柱部３２を用いた形状を有するものについて説明している。これらの説明は一例を挙げたものであり、形状をこれらの例に限定するものではない。
【００９６】
例えば上記した構造に代えて、正多角形を含む多角形の角錐や、星型の錘状、楕円の錘などの錘状の形状から頂部を落とした形状などを用いても良い。また、錘状に限らず正多角形を含む多角形の角柱状や、星型の柱状、楕円の柱状などを用いても良い。また、柱状または錘状の形状を複数個継ぎ合わせた形状を用いても良い。ここで、液滴を吐出する側が細くなるよう継ぎ合わせると液滴の流れに滞りが出難いため好適である。また、錘状形状や柱状形状の内側に均一あるいは不均一な溝を形成したものを用いても良い。
【００９７】
また、図１（Ａ）、図１（Ｂ）に記載した円柱部１２や図５（Ａ）、図５（Ｂ）に記載した第２円柱部３２に代えて、上記した錘状の形状から頂部を落とした領域の断面形状と同様の断面形状を有する柱形状を連ねた形状を用いても良い。また、上記した錘状の形状から頂部を落とした領域の断面形状と異なる形状を用いても良い。また、柱状形状に加えて柱状形状の内側に均一あるいは不均一な溝を形成したものを用いても良い。
【００９８】
また、必ずしも軸対称パターンである必要はなく、回転に対し対称軸を有さないパターンを用いることも可能である。この場合、液滴が吐出される場合に貫通部の定まった位置から液滴が剥れるため、着弾位置の再現性を向上することができる。
【００９９】
（第２の変形例）
第１の実施形態および第２の実施形態では、液滴誘導部に円錐形状や円柱形状を有するものについて説明したが、これは別の形状、例えば円錐形状の頂部を除いた擂鉢形状を用いても良い。また、正多角形を含む多角形の角錐や、星型の錘状、楕円の錘、或いはこれらの錘形状の頂部を落とした形状を有するものを用いても良い。また円柱、正多角形を含む多角形の柱、星型の柱、楕円の柱等の形状や、膨部を有する形状を用いても良い。また、必ずしも軸対称パターンである必要はなく、回転に対し対称軸を有さないパターンを用いることも可能である。この場合、液滴が吐出される場合に液滴誘導部の定まった位置から液滴が剥れるため、着弾位置の再現性を向上することができる。また、液滴誘導部に上記した形状に加えて均一あるいは不均一な溝を形成したものを用いても良い。溝を設けた場合には、液滴の剥離性が向上し、より高い直進性を持って液滴を吐出することが可能となる。
【０１００】
（第３の変形例）
第４の実施形態では、ドライエッチング法により円錐状の尖鋭形状を有するパターンや、円柱形状を有する軸対称パターンを形成する液滴誘導物を形成する製造方法について説明したが、このドライエッチング法を用いることで、異なるパターンを形成することが可能である。例えば、工程２で用いられるフォトレジスト層４２の平面形状を変えることで、例えば正多角形を含む多角形や、星型、楕円形等を有する錘状、または錘状の頂部を切り落とした形状を得ることができる。さらには、フォトレジスト層４２の形状を回転に対し非対称なパターンを用いることで、回転に対し非対称な錘状パターンを用いることも可能である。
【０１０１】
また、同様にして第４の実施形態での工程３をフォトレジスト層４２の側面を除去せず、異方性エッチングを行う条件で行うことで例えば正多角形を含む多角形や、星型、楕円形等を有する柱状の形状を得ることができる。更には、フォトレジスト層４２の形状を回転に対し非対称なパターンを用いることで、回転に対し非対称な柱状パターンを形成することが可能である。
【０１０２】
（第４の変形例）
上記した液滴誘導部を支える第１脚部、第２脚部として主として３本の梁を用いて支える例について説明したが、これは梁の数を３本に限定する意図ではなく、異なる梁の数で液滴誘導部を支えることができる。例えば、１〜２本の梁を用いても良く、４本以上の梁を用いても良い。また、第１脚部、第２脚部は梁の形状に限定されることはなく、例えば平板形状に液滴の透過用孔部を設けた形状を用いても良い。
【０１０３】
また、上記した第１脚部、第２脚部には、各脚部の固定端側に円形の構成部材を設けた形状について主として説明したが、この構成部材は必須ではない。例えばこの構成部材を除いた形状で支えることで、固定領域を小さく抑えることができる。また、構成部材の形状は円形に限る必要はなく三角形や四角形など多角形形状を用いても良い。また、正多角形以外の長方形や台形、辺の長さが異なる三角形、楕円などの形状を用いても良い。特に正方形や、長方形を用いた場合、ダイシング法などによって脚部と共に液滴誘導部を切り離すことが可能となるため、好ましい。
【図面の簡単な説明】
【０１０４】
【図１】（Ａ）は、擂鉢形状部と、擂鉢形状部と円柱部を有するノズルプレートの平面図、（Ｂ）は、（Ａ）のＡ−Ａ線断面図。
【図２】（Ａ）は軸対称パターンを有する液滴誘導部の平面図、（Ｂ）は、（Ａ）のＡ−Ａ線断面図。
【図３】（Ａ）は、ノズルプレートと液滴誘導部を重ね合わせて形成された液滴吐出ヘッドの吐出部の平面図、（Ｂ）は、（Ａ）のＡ−Ａ線断面図。
【図４】擂鉢形状部と円柱部を有するノズルプレートの製造工程を説明するための断面図。
【図５】（Ａ）は、第１円柱部と、第１円柱部と比べ半径が小さい第２円柱部とを組合せてなり、軸対称パターンを有するノズルプレートの平面図、（Ｂ）は、（Ａ）のＡ−Ａ線断面図。
【図６】（Ａ）は、軸対称パターンを有する液滴誘導部の平面図、（Ｂ）は、（Ａ）のＡ−Ａ線断面図。
【図７】（Ａ）は、ノズルプレートと液滴誘導部を重ね合わせて形成された液滴吐出ヘッドを構成する吐出部の平面図、（Ｂ）は、（Ａ）のＡ−Ａ線断面図。
【図８】（Ａ）、（Ｂ）は、第１円柱部および第２円柱部の製造方法を示すための工程断面図。
【図９】（Ａ）は、液滴誘導部の製造工程を示す平面図、（Ｂ）は、（Ａ）のＡ−Ａ線断面図。
【図１０】（Ａ）は、液滴誘導部の製造工程を示す平面図、（Ｂ）は、（Ａ）のＡ−Ａ線断面図。
【図１１】（Ａ）は、液滴誘導部の製造工程を示す平面図、（Ｂ）は、（Ａ）のＡ−Ａ線断面図。
【図１２】（Ａ）は、液滴誘導部の製造工程を示す平面図、（Ｂ）は、（Ａ）のＡ−Ａ線断面図。
【図１３】（Ａ）〜（Ｄ）は、光造形技術を用いて液滴吐出ヘッドを製造する工程を示す工程断面図。
【図１４】（Ａ）は、液滴吐出ヘッドを含む構造の主要部を示す模式斜視図、（Ｂ）は、模式断面図。
【図１５】（Ｃ）、（Ｄ）は、液滴吐出ヘッドの別の構成を示す断面図。
【図１６】液滴吐出装置の斜視図。
【符号の説明】
【０１０５】
１０…ノズルプレート、１０Ｗ…出力、１０ａ…ノズルプレート素材、１１…擂鉢形状部、１２…円柱部、１３…液滴誘導部、１４…第１脚部、１５…吐出部、２１…ポンチ、２２…ダイ、２３…孔、２４…抜きカス、３０…ノズルプレート、３０ａ…ノズルプレート素材、３１…第１円柱部、３２…第２円柱部、３３…液滴誘導部、３４…第１脚部、３５…吐出部、３６…フォトレジスト層、３７…フォトレジスト層、４０…シリコン基板、４１…フォトレジスト層、４２…フォトレジスト層、４３…液滴誘導部、４４…第１脚部、４５…液滴誘導部、４６…第１脚部、５０…基板、５１…光硬化部、５１ａ…光硬化樹脂、５２…液滴誘導部、５６…キャッピングユニット、５８…クリーニングユニット、５９…ノズルプレート、６１…振動板、６２…仕切り部材、６３…圧力室、６６…材料供給孔、６７…材料供給装置、６８…通路、６９…材料加圧体、７０…貫通部、７１…圧電素子、７２ａ…電極、７３…撥材料層、７４…液滴誘導部、７５…第１脚部、７６…第２脚部、８０…液滴吐出ヘッド、８１…吐出面、１００…液滴吐出装置、１０１…ベース、１０２…第１移動手段、１０３…テーブル、１０４…モータ、１０５…モータ、１０６…モータ、１０７…モータ、１０８…リニアモータ、１１０…制御装置。
【図１】
2008094043.tif 000003
【図２】
2008094043.tif 000004
【図３】
2008094043.tif 000005
【図４】
2008094043.tif 000006
【図５】
2008094043.tif 000007
【図６】
2008094043.tif 000008
【図７】
2008094043.tif 000009
【図８】
2008094043.tif 000010
【図９】
2008094043.tif 000011
【図１０】
2008094043.tif 000012
【図１１】
2008094043.tif 000013
【図１２】
2008094043.tif 000014
【図１３】
2008094043.tif 000015
【図１４】
2008094043.tif 000016
【図１５】
2008094043.tif 000017
【図１６】
2008094043.tif 000018